(57)【要約】【課題】娯楽性の高いゲーム制御技術を提供する。【解決手段】ゲーム装置１０は、ゲームフィールドに一方向に並べられた複数のオブジェクトの中から、位置を移動させる対象となるオブジェクトの選択を受け付け、選択されたオブジェクトを、ユーザにより指示された位置へ移動させるオブジェクト配置変更部４１と、前記複数のオブジェクトの正しい並び順を格納したテーブルを参照して、隣接して配置されるべきオブジェクト同士が正しい順序で隣接して配置されているか否かを判定し、正しい順序で隣接して配置されているオブジェクトがあれば、それらをグループ化する判定部４２と、を備える。オブジェクト配置変更部４１は、グループ化されたオブジェクトが選択されている場合、グループに属する複数のオブジェクトをまとめて移動させる。【選択図】図１
2010284380.tif 000002
【特許請求の範囲】
【請求項１】
ゲームフィールドに一方向に並べられた複数のオブジェクトの中から、位置を移動させる対象となるオブジェクトの選択を受け付ける機能と、
選択されたオブジェクトを、ユーザにより指示された位置へ移動させる機能と、
前記複数のオブジェクトの正しい並び順を格納したテーブルを参照して、隣接して配置されるべきオブジェクト同士が正しい順序で隣接して配置されているか否かを判定し、正しい順序で隣接して配置されているオブジェクトがあれば、それらをグループ化する機能と、をコンピュータに実現させ、
前記移動させる機能は、グループ化されたオブジェクトが選択されている場合、グループに属する複数のオブジェクトをまとめて移動させることを特徴とするゲーム制御プログラム。
【請求項２】
前記判定する機能は、前記移動させる機能が前記オブジェクトを移動させた後に、移動されたオブジェクトと、それに隣接するオブジェクトが、正しい順序で配置されているか否かを判定することを特徴とする請求項１に記載のゲーム制御プログラム。
【請求項３】
正しい向きとは異なる向きに配置されたオブジェクトが選択されるときに、選択されたオブジェクトを正しい向きに自動的に配置させる機能を更にコンピュータに実現させることを特徴とする請求項１又は２に記載のゲーム制御プログラム。
【請求項４】
前記判定する機能は、隣接して配置されるべきオブジェクト同士が正しい順序で隣接して配置されていても、いずれか一方のオブジェクトが正しい向きとは異なる向きに配置されている場合は、それらをグループ化しないことを特徴とする請求項１から３のいずれかに記載のゲーム制御プログラム。
【請求項５】
前記複数のオブジェクトは、複数の種類のオブジェクトを含むことを特徴とする請求項１から４のいずれかに記載のゲーム制御プログラム。
【請求項６】
前記グループ化する機能によりグループ化されたオブジェクトの近傍に、グループ化されていることを示す図形を表示する機能を更にコンピュータに実現させ、
前記図形を表示する機能は、異なる種類のオブジェクトのグループに対して、異なる表示態様で前記図形を表示することを特徴とする請求項５に記載のゲーム制御プログラム。
【請求項７】
ゲームフィールドに一方向に並べられた複数のオブジェクトの中から、位置を移動させる対象となるオブジェクトの選択を受け付け、選択されたオブジェクトを、ユーザにより指示された位置へ移動させるオブジェクト配置変更部と、
前記複数のオブジェクトの正しい並び順を格納したテーブルを参照して、隣接して配置されるべきオブジェクト同士が正しい順序で隣接して配置されているか否かを判定し、正しい順序で隣接して配置されているオブジェクトがあれば、それらをグループ化する判定部と、を備え、
前記オブジェクト配置変更部は、グループ化されたオブジェクトが選択されている場合、グループに属する複数のオブジェクトをまとめて移動させることを特徴とするゲーム装置。
【請求項８】
ゲームフィールドに一方向に並べられた複数のオブジェクトの中から、位置を移動させる対象となるオブジェクトの選択を受け付けるステップと、
選択されたオブジェクトを、ユーザにより指示された位置へ移動させるステップと、
前記複数のオブジェクトの正しい並び順を格納したテーブルを参照して、隣接して配置されるべきオブジェクト同士が正しい順序で隣接して配置されているか否かを判定し、正しい順序で隣接して配置されているオブジェクトがあれば、それらをグループ化するステップと、を含み、
前記移動させるステップは、グループ化されたオブジェクトが選択されている場合、グループに属する複数のオブジェクトをまとめて移動させることを特徴とするゲーム制御方法。
【請求項９】
請求項１から６のいずれかに記載のゲーム制御プログラムを記録したコンピュータ読み取り可能な記録媒体。
【発明の詳細な説明】
【技術分野】
【０００１】
本発明は、ゲーム制御技術に関し、とくに、オブジェクトを所定の順序に並べるゲームを制御するゲーム制御プログラム、ゲーム装置、及びゲーム制御方法に関する。
【背景技術】
【０００２】
ゲームフィールドにおいて複数のオブジェクトを落下させ、所定の条件を満たすようにオブジェクトを並べて消去させる、パズルゲームが人気を博している。
【発明の概要】
【発明が解決しようとする課題】
【０００３】
オブジェクトの形状や並べ方などに工夫を凝らした、様々なタイプのパズルゲームが提供されているが、より幅広い層のユーザが気軽に楽しむことが可能なパズルゲームが求められている。
【０００４】
本発明はこうした状況に鑑みてなされたものであり、その目的は、より娯楽性の高いゲーム制御技術を提供することにある。
【課題を解決するための手段】
【０００５】
本発明のある態様は、ゲーム制御プログラムに関する。このゲーム制御プログラムは、ゲームフィールドに一方向に並べられた複数のオブジェクトの中から、位置を移動させる対象となるオブジェクトの選択を受け付ける機能と、選択されたオブジェクトを、ユーザにより指示された位置へ移動させる機能と、前記複数のオブジェクトの正しい並び順を格納したテーブルを参照して、隣接して配置されるべきオブジェクト同士が正しい順序で隣接して配置されているか否かを判定し、正しい順序で隣接して配置されているオブジェクトがあれば、それらをグループ化する機能と、をコンピュータに実現させ、前記移動させる機能は、グループ化されたオブジェクトが選択されている場合、グループに属する複数のオブジェクトをまとめて移動させることを特徴とする。
【０００６】
なお、以上の構成要素の任意の組合せ、本発明の表現を方法、装置、システムなどの間で変換したものもまた、本発明の態様として有効である。
【発明の効果】
【０００７】
本発明によれば、より娯楽性の高いゲーム制御技術を提供することができる。
【図面の簡単な説明】
【０００８】
【図１】実施の形態に係るゲーム装置の構成を示す図である。
【図２】表示装置に表示される画面の例を示す図である。
【図３】オブジェクト管理テーブルの内部データの例を示す図である。
【図４】表示装置に表示される画面の例を示す図である。
【図５】表示装置に表示された画面の例を示す図である。
【図６】表示装置に表示された画面の例を示す図である。
【図７】表示装置に表示された画面の例を示す図である。
【図８】表示装置に表示された画面の例を示す図である。
【図９】表示装置に表示された画面の例を示す図である。
【図１０】表示装置に表示された画面の例を示す図である。
【図１１】表示装置に表示された画面の例を示す図である。
【図１２】表示装置に表示された画面の例を示す図である。
【図１３】表示装置に表示された画面の例を示す図である。
【図１４】表示装置に表示された画面の例を示す図である。
【図１５】表示装置に表示された画面の例を示す図である。
【図１６】表示装置に表示された画面の例を示す図である。
【図１７】表示装置に表示された画面の例を示す図である。
【発明を実施するための形態】
【０００９】
実施の形態に係るゲーム装置は、ゲームフィールドに一方向に並べられた複数のオブジェクトを、所定の順序に並べ替えるゲームを提供する。実施の形態では、本棚に見立てたゲームフィールドに横方向に並べられた複数の本を、巻数の順に並べ替えるゲームを例にとって説明する。
【００１０】
本実施の形態のゲーム装置は、幅広い層のユーザが楽しめるように、ユーザの操作を簡略化するための機能を提供する。例えば、オブジェクトを並べ替えている途中で、隣接して配置させるべきオブジェクト同士が正しく隣接して配置された状態になったとき、それらをグループ化して、以降はまとめて移動させることを可能とする。また、上下逆向きに配置されたオブジェクトを移動させるために取り出したときに、自動的に回転させて向きを合わせる機能を提供する。このような機能を提供することにより、幅広い層のユーザが気軽に楽しむことができるゲームを提供することができる。
【００１１】
図１は、実施の形態に係るゲーム装置１０の構成を示す。ゲーム装置１０は、コントローラ２０、入力受付部３０、制御部４０、オブジェクト管理テーブル６０、画像データ格納部６２、画面生成部６６、及び表示装置６８を備える。これらの構成は、ハードウエアコンポーネントでいえば、任意のコンピュータのＣＰＵ、メモリ、メモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１２】
入力受付部３０は、プレイヤーが操作するコントローラ２０から入力される制御信号を受け付ける。制御部４０は、入力受付部３０が受け付けたプレイヤーからの操作入力に基づいて、ゲームフィールド内のオブジェクトの配置などを制御し、ゲームを進行させる。画面生成部６６は、制御部４０により制御されるゲームの画面を生成し、表示装置６８に表示させる。
【００１３】
図２は、表示装置６８に表示される画面の例を示す。表示画面には、横方向に並べられた複数の本７１が、巻数の順に並べられている状態が表示されている。これは、ゲームをクリアしたときの表示画面であり、ゲームの開始時には、図４に示すように、複数の本がランダムに並べられている。ユーザは、本を移動させる操作を行って、図２に示した状態になるように、本を並べ替える。
【００１４】
図３は、オブジェクト管理テーブル６０の内部データの例を示す。オブジェクト管理テーブル６０には、オブジェクトＩＤ欄８０、位置欄８１、向き欄８２、グループＩＤ欄８３、及びステータス欄８４が設けられている。オブジェクトＩＤ欄８０は、オブジェクトのＩＤを格納する。本実施の形態では、オブジェクトのＩＤは、オブジェクトの並び順に割り当てられており、オブジェクトを識別するだけでなく、オブジェクトの並び順を判定するためにも用いられる。位置欄８１は、オブジェクトがゲームフィールド内で配置された位置を示すデータを格納する。本実施の形態では、オブジェクトはゲームフィールド内で一方向に並べられるので、位置を示すデータは、１次元のデータで足りる。向き欄８２は、オブジェクトが配置された向きを示す。前述したように、オブジェクトは上下逆向きに配置されることもあるので、向き欄８２が設けられている。本実施の形態では、正しい向きに配置されている場合は「０」を、逆向きに配置されている場合は「１」を格納する。グループＩＤ欄８３は、複数のオブジェクトがグループ化されている場合に、そのグループを識別するためのＩＤを格納する。本実施の形態では、グループＩＤとして、グループに属する複数のオブジェクトのうち最もオブジェクトＩＤの小さいオブジェクトのオブジェクトＩＤを用いる。図３の例では、オブジェクトＩＤ「０７」のオブジェクトと、オブジェクトＩＤ「０８」のオブジェクトはグループ化されており、グループＩＤとして「０７」が格納されている。グループを管理するための管理テーブルを別に設けてもよい。ステータス欄８４は、オブジェクトのステータスを格納する。後述するように、本実施の形態では、オブジェクトをいったん手前に引き出して（選択して）から左右に移動させるが、手前に引き出された状態（選択されている状態）の場合は「１」を、通常の状態（選択されていない状態）の場合は「０」を格納する。
【００１５】
図１に戻り、制御部４０の説明を続ける。オブジェクト配置変更部４１は、ユーザからの指示に応じて、ゲームフィールドに配置された複数のオブジェクトの配置を変更する。オブジェクト配置変更部４１は、例えば、コントローラ２０の十字キーなどによる指示入力に応じて、配置を変更する対象となるオブジェクトを示すカーソルをゲームフィールド内で移動させて、オブジェクト管理テーブル６０のカーソルの現在位置を更新する。また、オブジェクト配置変更部４１は、例えば、コントローラ２０のボタンなどによる指示入力に応じて、カーソル位置のオブジェクトを手前に引き出す様子を表示させ、オブジェクト管理テーブル６０のステータス欄を更新する。オブジェクトが手前に引き出された状態のときに、コントローラ２０の十字キーなどによる指示入力を受け付けると、手前に引き出されたオブジェクトと、指示された方向に隣接するオブジェクトの位置を入れ替える様子を表示させ、オブジェクト管理テーブル６０の位置欄を更新する。これにより、オブジェクトをゲームフィールド内で移動させることができる。オブジェクトが手前に引き出された状態のときに、コントローラ２０のボタンなどによる指示入力を受け付けると、引き出されたオブジェクトを押し込んで元に戻す様子を表示させ、オブジェクト管理テーブル６０のステータス欄を更新する。オブジェクトを引き出すためのボタンと、オブジェクトを戻すためのボタンは、同じボタンであってもよい。
【００１６】
オブジェクト配置変更部４１は、オブジェクトを手前に引き出す指示入力を受け付けたときに、オブジェクト管理テーブル６０の向き欄を参照して、該当するオブジェクトが逆向きに配置されている場合は、そのオブジェクトを手前に引き出すときに、オブジェクトを回転させて正しい向きに向ける様子を表示し、オブジェクト管理テーブル６０の向き欄を更新する。このように、正しい向きとは異なる向きに配置されているオブジェクトであっても、手前に引き出す操作により自動的に正しい向きに向けるので、ユーザの操作を簡略化し、気軽に楽しめるゲームとすることができる。また、正しい向きとは異なる向きに配置したオブジェクトを混在させることにより、見た目やゲーム性に変化を与えることができる。
【００１７】
判定部４２は、ゲームフィールドに配置された複数のオブジェクトのうち、オブジェクトをグループ化するための配置条件に合致するオブジェクトを判定し、配置条件に合致するオブジェクトをグループ化する。本実施の形態では、隣接して配置されるべきオブジェクトが、正しい順序で隣接して配置された状態になっていれば、それらのオブジェクトをグループ化する。判定部４２は、複数のオブジェクトをグループ化すると判定すると、オブジェクト管理テーブル６０のグループＩＤ欄に、グループに含まれるオブジェクトのうちオブジェクトＩＤが最も小さいオブジェクトのオブジェクトＩＤを格納する。グループ化された複数のオブジェクトは、以降、１つのまとまったオブジェクトとして扱われる。オブジェクト配置変更部４１は、グループに属する複数のオブジェクトを個別に移動させず、グループ全体をまとめて移動させる。これにより、ユーザの操作を簡略化し、気軽に楽しめるゲームとすることができる。
【００１８】
判定部４２は、隣接して配置されるべきオブジェクト同士が正しい順序で隣接して配置されていても、いずれか一方のオブジェクトが正しい向きとは異なる向きに配置されている場合は、それらをグループ化しない。
【００１９】
つづいて、図面を参照しながら、ゲームの動作の詳細について説明する。制御部４０は、ゲームを開始する旨の指示をユーザから受け付けると、乱数を発生させるなどして本の配置を決定し、決定した本の位置及び向きをオブジェクト管理テーブル６０に格納する。判定部４２は、オブジェクト管理テーブル６０を参照して、ゲーム開始時の配置において、グループ化すべき本を判定する。図３に示した例では、第７巻が１番の位置に、第８巻が２番の位置に配置されており、隣接すべき本同士が隣接した状態になっているので、第７巻と第８巻をグループ化する。判定部４２は、オブジェクト管理テーブル６０において、グループ化した第７巻と第８巻のグループＩＤに、グループに属する本のうち最もオブジェクトＩＤが小さい第７巻のオブジェクトＩＤを格納する。図３に示した例では、第９巻が４番の位置に、第１０巻が５番の位置に配置されており、隣接すべき本同士が隣接した状態になっているが、第９巻が逆向きに配置されているので、判定部４２は、第９巻と第１０巻をグループ化しない。後述するように、第９巻の本をいったん引き出すと、オブジェクト配置変更部４１が正しい向きに自動的に変更するので、それを押し込んで元に戻すと、判定部４２は、第９巻と第１０巻をグループ化する。画面生成部６６は、ゲームフィールドの画像データや、本の画像データなど、画面の生成に必要なデータを画像データ格納部６２から読み出し、オブジェクト管理テーブル６０に格納された情報に基づいて表示画面を生成し、表示装置６８に表示する。
【００２０】
図４は、ゲーム開始時の表示画面の例を示す。ゲーム画面７０には、ランダムに配置された複数の本と、移動の対象となる本を示すカーソル７２が表示されている。また、複数の本がグループ化されていることを示す図形７３が表示されている。ユーザが、カーソルを左右に移動させる機能が割り当てられた十字キーなどを入力すると、オブジェクト配置変更部４１は、カーソルの位置を変更する。図４に示した例では、本の巻数が、本の背表紙の中央からずれた位置に表示されている。これにより、逆向きの本が混在していることが分かりやすくなるとともに、逆向きの本が混在していても巻数を見やすくすることができる。
【００２１】
ユーザが、本を移動のために抜き取る機能が割り当てられたボタンを入力すると、オブジェクト配置変更部４１は、カーソル位置の本のステータス欄を「１」に変更する。画面生成部６６は、図５に示すように、第２巻が手前に引き出された状態を表示したゲーム画面を生成する。このとき、画面生成部６６は、手前に引き出した本を、他の本よりも小さく表示してもよい。これにより、本が手前に引き出されたことを分かりやすく示すことができるとともに、手前に引き出した本により隣接する本が隠されてしまわないようにすることができる。
【００２２】
第２巻の本が手前に引き出されている状態で、ユーザが十字キーの左右キーを入力すると、図６に示すように、オブジェクト配置変更部４１は、第２巻の本を入力された方向へ移動させ、オブジェクト管理テーブル６０の位置欄を更新する。このとき、第２巻の本だけでなく、第２巻の本の移動に伴って移動した本についても、オブジェクト管理テーブル６０の位置欄を更新する。
【００２３】
カーソル位置の本が手前に引き出されている状態で、ユーザが所定のボタン、例えば、Ｌボタン又はＲボタンを入力すると、オブジェクト配置変更部４１は、引き出されている本を左又は右の端まで移動させ、オブジェクト管理テーブル６０の位置欄を更新する。オブジェクト配置変更部４１は、カーソル位置の本が手前に引き出されていない状態で、ユーザがＬボタン又はＲボタンを入力すると、カーソルの位置を左又は右の端まで移動させてもよい。ユーザは、十字キーにより左右に１つずつカーソルや本の位置を移動させることもできるし、Ｌボタン又はＲボタンにより一気に左右の端まで移動させることもできるので、状況に応じて適切な移動方法を選択することができる。これにより、ゲーム性を高めることができる。
【００２４】
第２巻の本が手前に引き出されている状態で、ユーザがボタンを入力すると、図７に示すように、オブジェクト配置変更部４１は、手前に引き出されていた本を元の状態に戻し、オブジェクト管理テーブル６０のステータス欄を更新する。このとき、判定部４２は、元に戻された本と、その左右に隣接する本とをグループ化すべきか否かを判定する。図７の例では、第２巻の本の左隣には第１巻の本が配置されているので、第１巻の本と第２巻の本は正しい順序に隣接して並べられている。したがって、判定部４２は、第１巻の本と第２巻の本をグループ化し、オブジェクト管理テーブル６０のグループＩＤ欄を「０１」に更新する。画面生成部６６は、図８に示すように、第１巻の本と第２巻の本がグループ化されていることを示す図形を表示する。第１巻の本と第２巻の本は、以降、まとめて移動されるので、カーソルも第１巻の本と第２巻の本を含むように変更される。
【００２５】
次に、図９に示すように、第５巻の本を手前に引き出した状態で、ユーザが、十字キーの左キーを入力したとする。このとき、オブジェクト配置変更部４１は、第５巻の本を左に移動させるために、第５巻の本と、左に隣接する本とを入れ替えるが、第５巻の本の左隣には、グループ化された第１巻の本と第２巻の本が配置されているので、オブジェクト配置変更部４１は、図１０に示すように、第５巻の本と、第１巻の本及び第２巻の本のグループとを入れ替える。
【００２６】
このとき、判定部４２は、配置の入れ替えに伴って、グループ化すべき本が生じているか否かを判定する。図１０の例では、第１巻及び第２巻の本のグループと、第３巻の本とが正しい順序で隣接して配置されたので、図１１に示すように、これら３巻の本をグループ化する。このとき、判定部４２は、オブジェクト管理テーブル６０の３巻の本のグループＩＤ欄を、３巻の本のうちオブジェクトＩＤが最も小さい「０１」に更新する。実際には、第１巻と第２巻の本のグループＩＤは既に「０１」になっているので、第３巻の本のグループＩＤのみを更新する。グループに３巻の本が含まれることを、例えば、オブジェクトＩＤが「０１」のレコードのグループＩＤ欄に「３」を格納することで示してもよい。
【００２７】
図１２に示すように、逆向きに配置されている第４巻の本にカーソルを合わせた状態で、ユーザがボタンを入力すると、オブジェクト配置変更部４１は、本を手前に引き出す様子を表示する際に、図１３に示すように、自動的に本を１８０度回転させて正しい向きに向ける。
【００２８】
グループ化された本は、個別に移動されるのではなく、まとめて移動されるので、グループ化された本にカーソルを合わせた状態で、ユーザがボタンを入力すると、図１４に示すように、グループに属する全ての本が手前に引き出される。この状態で、ユーザが十字キーの左右キーを入力すると、オブジェクト配置変更部４１は、グループごと左右に移動させる。
【００２９】
図１５に示すように、第１巻から第６巻までがグループ化された６巻の本のグループを、第７巻と第８巻がグループ化された２巻の本のグループの左へ移動させて押し込むと、判定部４２は、第１巻から第６巻までのグループと、第７巻から第８巻までのグループとが、正しい順序で隣接して配置されているか否かを判定する。この場合、２つのグループが正しい順序で隣接して配置されたので、図１６に示すように、判定部４２は、第１巻から第６巻までのグループと、第７巻から第８巻までのグループとをグループ化する。このとき、判定部４２は、オブジェクト管理テーブル６０の第７巻と第８巻の本のグループＩＤを、「０７」から「０１」に更新する。第１巻から第６巻までの本のグループＩＤは、既に「０１」になっているので、更新は要しない。これにより、第１巻から第８巻までの本のグループＩＤが全て「０１」になるので、以降、これらの本はグループとして扱われる。
【００３０】
図１７に示すように、複数の種類のオブジェクトが混在していてもよい。この場合、オブジェクトの種類も含めて並び順が設定されてもよいし、オブジェクトの種類の順序は問わないようにしてもよい。例えば、図１７の例において、「ゲーム」の本を「ＰＣ」の本の左に配置するように決められていてもよいし、「ゲーム」の本と「ＰＣ」の本の中で順番通りに配置されていれば、「ゲーム」の本が「ＰＣ」の本の左に配置されても右に配置されても問わないようにしてもよい。
【００３１】
図１７の例では、「ゲーム」の第２巻と「ゲーム」の第３巻が正しい順序で隣接して配置されているので、グループ化されていることを示す図形７３が表示されている。また、「ＰＣ」の第３巻と「ＰＣ」の第４巻も正しい順序で隣接して配置されているので、グループ化されていることを示す図形７４が表示されている。図形７３と図形７４は、それぞれ異なる種類のオブジェクトのグループを示しているので、異なる表示態様にて表示されてもよい。これにより、種類の異なるオブジェクトのグループであることを視覚的に分かりやすく示すことができる。
【００３２】
以上、本発明を実施例をもとに説明した。この実施例は例示であり、その各構成要素や各処理プロセスの組合せにいろいろな変形が可能なこと、またそうした変形例も本発明の範囲にあることは当業者に理解されるところである。
【００３３】
上記では、本を巻数の順に並べる例について説明したが、所定のルールにしたがって順序が定められ、正しい順序をユーザが認識可能であれば、どのようなものであってもよい。例えば、歴史上の出来事が記載されたオブジェクトを、それらの出来事が発生した年号順に並べたり、路線に含まれる駅名が記載されたオブジェクトを、通過駅の順に並べたり、絵や写真の一部ずつが記載されたオブジェクトを、正しい順序に並べ替えて絵や写真を再構成したりするものであってもよい。
【符号の説明】
【００３４】
１０  ゲーム装置、２０  コントローラ、３０  入力受付部、４０  制御部、４１  オブジェクト配置変更部、４２  判定部、６０  オブジェクト管理テーブル。
【図１】
2010284380.tif 000003
【図２】
2010284380.tif 000004
【図３】
2010284380.tif 000005
【図４】
2010284380.tif 000006
【図５】
2010284380.tif 000007
【図６】
2010284380.tif 000008
【図７】
2010284380.tif 000009
【図８】
2010284380.tif 000010
【図９】
2010284380.tif 000011
【図１０】
2010284380.tif 000012
【図１１】
2010284380.tif 000013
【図１２】
2010284380.tif 000014
【図１３】
2010284380.tif 000015
【図１４】
2010284380.tif 000016
【図１５】
2010284380.tif 000017
【図１６】
2010284380.tif 000018
【図１７】
2010284380.tif 000019